(57)【要約】【課題】規格外のイリーガルなＴＯＣ情報が記録されている光ディスクでも少なくともオーディオトラックを再生可能とする。【解決手段】制御手段９は、オーディオ又はデータを複数のセッションに記録しているマルチセッションの光ディスク２において、各セッションのリードインに記録されているＴＯＣ情報を順次取得し、それらのＴＯＣ情報がイリーガルなＴＯＣ情報を含むか否かを判別する。イリーガルなＴＯＣ情報を含むと判別した場合、制御手段９は、イリーガルなＴＯＣ情報を含むセッションより前のセッションまでのＴＯＣ情報に基づいて、そこまでのすべてのセッションに記録されたトラックの総数を取得し、トラックがデータトラックであるか否かを順次判別し、いずれかのトラックにデータトラックが含まれると判別された場合、該データトラックを含むセッション以降のすべてのセッションを無効にする。【選択図】　図１
2004127387.tif 000002
【特許請求の範囲】
【請求項１】
光ディスクを再生又は記録・再生する光ディスク装置であって、
オーディオ又はデータを複数のセッションに記録しているマルチセッションの光ディスクにおいて、各セッションのリードインに記録されているＴＯＣ情報を順次取得するＴＯＣ情報取得手段と、
前記ＴＯＣ情報取得手段によって順次取得されたＴＯＣ情報がイリーガルなＴＯＣ情報を含むか否かを判別するイリーガルＴＯＣ情報判別手段と、
前記判別手段によってイリーガルなＴＯＣ情報を含むと判別された場合、イリーガルなＴＯＣ情報を含むセッションより前のセッションまでのＴＯＣ情報に基づいて、イリーガルなＴＯＣ情報を含むセッションより前のすべてのセッションに記録されたトラックの総数を取得する総トラック数取得手段と、
前記トラックがデータトラックであるか否かを順次判別するデータトラック判別手段と、
前記データトラック判別手段によって前記トラックにデータトラックが含まれると判別された場合、該データトラックを含むセッション以降のすべてのセッションを無効とするセッション無効手段と、
を備えることを特徴とする光ディスク装置。
【請求項２】
光ディスクを再生又は記録・再生する光ディスク装置であって、
オーディオ又はデータを複数のセッションに記録しているマルチセッションの光ディスクにおいて、各セッションのリードインに記録されているＴＯＣ情報を順次取得するＴＯＣ情報取得手段と、
前記順次取得されたＴＯＣ情報がイリーガルなＴＯＣ情報を含むか否かを判別するイリーガルＴＯＣ情報判別手段と、
前記判別手段によってイリーガルなＴＯＣ情報を含むと判別された場合、イリーガルなＴＯＣ情報を含むセッションより前のセッションまでの各セッションの１番目のトラックがデータトラックであるか否かを判別するデータトラック判別手段と、
前記データトラック判別手段によって前記トラックにデータトラックが含まれると判別された場合、該当するセッション以降のすべてのセッションを無効とするセッション無効手段と、
を備えることを特徴とする光ディスク装置。
【請求項３】
前記ＴＯＣ情報取得手段により取得された各セッションのＴＯＣ情報は、メモリに格納される請求項１又は２に記載の光ディスク装置。
【請求項４】
前記総トラック数取得手段により取得された総トラック数は、メモリに格納される請求項１に記載の光ディスク装置。
【請求項５】
前記判別手段によってイリーガルなＴＯＣ情報を含むと判別された場合、イリーガルなＴＯＣ情報を含むセッション以降のセッションのＴＯＣ情報の取得を止めるＴＯＣ情報取得停止手段をさらに備える請求項１乃至４のいずれかに記載の光ディスク装置。
【請求項６】
光ディスクを再生又は記録・再生する光ディスク装置であって、オーディオトラックとデータトラックを含むマルチセッションの各セッションのリードインに記録されているＴＯＣ情報を取得し、順次取得したＴＯＣ情報がイリーガルなＴＯＣ情報を含むか否かを判別し、イリーガルなＴＯＣ情報を含むと判別された場合、イリーガルなＴＯＣ情報を含むセッション以降のセッションのＴＯＣ情報の取得を止めて、それまでにＴＯＣ情報を取得したセッションに記録されたトラックの総数を取得し、前記トラックがデータトラックであるか否かを順次判別し、データトラックを見付けるとそのデータトラックを含むセッション以降のすべてのセッションを無効にすることによって、少なくともオーディオトラックの再生を可能とすることを特徴とする光ディスク装置。
【請求項７】
光ディスクを再生又は記録・再生する光ディスク装置において実行される光ディスクのイニシャライズ方法であって、
オーディオ又はデータを複数のセッションに記録しているマルチセッションの光ディスクが挿入されると、各セッションのリードイン領域をサーチし、そのリードイン領域に記録されているＴＯＣ情報を順次取得するステップと、
順次取得されたＴＯＣ情報がイリーガルなＴＯＣ情報を含むか否かを判別するステップと、
イリーガルなＴＯＣ情報を含むと判別された場合、イリーガルなＴＯＣ情報を含むセッションより前のセッションまでのＴＯＣ情報に基づいて、イリーガルなＴＯＣ情報を含むセッションより前のすべてのセッションに記録されたトラックの総数を取得するステップと、
前記トラックがデータトラックであるか否かを順次判別するステップと、
前記トラックにデータトラックが含まれると判別された場合、該データトラックを含むセッション以降のすべてのセッションを無効とするステップと、
を有することを特徴とする光ディスクのイニシャライズ方法。
【請求項８】
光ディスクを再生又は記録・再生する光ディスク装置において実行される光ディスクのイニシャライズ方法であって、
オーディオ又はデータを複数のセッションに記録しているマルチセッションの光ディスクが挿入されると、各セッションのリードイン領域をサーチし、そのリードイン領域に記録されているＴＯＣ情報を順次取得するステップと、
順次取得されたＴＯＣ情報がイリーガルなＴＯＣ情報を含むか否かを判別するステップと、
イリーガルなＴＯＣ情報を含むと判別された場合、イリーガルなＴＯＣ情報を含むセッションより前のセッションまでの各セッションの１番目のトラックがデータトラックであるか否かを判別するステップと、
前記トラックにデータトラックが含まれると判別された場合、該当するセッション以降のすべてのセッションを無効とするステップと、
を有することを特徴とする光ディスクのイニシャライズ方法。
【請求項９】
イリーガルなＴＯＣ情報を含むと判別された場合、イリーガルなＴＯＣ情報を含むセッション以降のセッションのＴＯＣ情報の取得を中止するステップをさらに有する請求項７又は８に記載の光ディスクのイニシャライズ方法。
【発明の詳細な説明】
【０００１】
【発明の属する技術分野】
本発明は、光ディスクを再生又は記録・再生する光ディスク装置、及びその光ディスク装置における光ディスクのイニシャライズ方法に関する。
【０００２】
【従来の技術】
ＣＤ−Ｒ、ＣＤ−ＲＷのような光ディスクのデータ記録形式には、シングルセッション（Ｓｉｎｇｌｅ　Ｓｅｓｓｉｏｎ）とマルチセッション（ＭｕｌｔｉＳｅｓｓｉｏｎ、又はＭｕｌｔｉｐｌｅＳｅｓｓｉｏｎ）がある。オーディオＣＤやＣＤ−ＲＯＭはシングルセッションであり、ＣＤ−Ｒのようにトラックアットワンス（Ｔｒａｃｋ　Ａｔ　Ｏｎｃｅ）方式により記録された（書き込まれた）ものがマルチセッションである。
【０００３】
マルチセッション方式で記録された光ディスクは、記録開始の目印であるリードイン領域と、データ本体（プログラム領域）と、記録終了の目印であるリードアウト領域とをこの順で並んだ構造であるセッションを複数備えている。そして、このリードイン領域には、そのセッションに含まれるトラック（Ｔｒａｃｋ）数や次のセッションがあるかなどを示すＴＯＣ（Ｔａｂｌｅ　Ｏｆ　Ｃｏｎｔｅｎｔｓ）情報が記録されている。
【０００４】
マルチセッションの光ディスクは、オーディオ（音声あるいは音楽）情報を記録しているセッションとデータ情報を記録しているセッションが混在されることもある。その場合、光ディスクは、通常、オーディオプレイヤーでも再生可能であるように、少なくとも第１セッションにオーディオ情報（オーディオセッションが複数存在してもよい）を、オーディオ情報以降のセッションにデータ情報を記録している。
【０００５】
マルチセッションの光ディスクに対応している光ディスク装置は、シングルセッション及びマルチセッションの光ディスクを再生することができ、光ディスクを記録・再生することができる光ディスク装置は、いずれの記録形式の記録可能な光ディスクにも記録（追記）することができる。
【０００６】
ここで、従来の光ディスク装置における光ディスクのイニシャライズ方法を説明する。図７は、従来の光ディスク装置における光ディスクのイニシャライズ処理を示すフローチャートである。この光ディスクのイニシャライズ処理は光ディスク装置に電源が投入されたとき、及び光ディスク搭載位置（ＯＰＥＮ位置）から光ディスク収納位置（ＣＬＯＳＥ位置）へトレイ移動したとき、この光ディスクのイニシャライズ処理を実行している。
【０００７】
ステップＳ２０１において、光ディスク装置は、光ディスクがあるか否か、すなわち、光ディスクが挿入されているか否かを判断する。挿入されていない場合にはこの処理を終了し、挿入されている場合には、ステップＳ２０２に移行する。
【０００８】
そして、光ディスク装置は、セッション番号（Ｓｅｓｓｉｏｎ　Ｎｕｍｂｅｒ）を１とし（ステップＳ２０２）、第１セッションのリードイン領域内をサーチして（ステップＳ２０３）、ＴＯＣ情報を取得する（ステップＳ２０４）。
【０００９】
ステップＳ２０５において、このように取得したＴＯＣ情報に規格外のＴＯＣ情報、すなわち、イリーガルなＴＯＣ情報が含まれているか否かを判断し、イリーガルなＴＯＣ情報が含まれている場合にはイニシャライズ処理を終了する。イリーガルなＴＯＣ情報が含まれていない場合には、光ディスク装置は、そのＴＯＣ情報に基づいて、次のセッションが存在するか否かを判断し（ステップＳ２０６）、次のセッションがない場合にはこのイニシャライズ処理を終了する。
【００１０】
次のセッションがある場合、セッション番号を１つインクリメントして（ステップＳ２０７）、ステップＳ２０３以降の処理を繰り返す。このようにして、光ディスクのイニシャライズ処理は、光ディスクのすべてのセッションのＴＯＣ情報を得るか、途中又は最後のＴＯＣ情報がイリーガルなＴＯＣ情報であるときに終了する。
【００１１】
【特許文献１】
特開平１０−２２８７５４号公報
上記文献には、マルチセッションディスクのセッションサーチ（ＴＯＣ情報サーチ）方法が記載されている。
【００１２】
【発明が解決しようとする課題】
しかしながら、オーディオトラックとデータトラックを含むマルチセッションの光ディスクにおいて、いずれかのセッションに規格外のイリーガル（Ｉｌｌｅｇａｌ）なＴＯＣ情報が記録されていると、光ディスク装置が行う光ディスクのイニシャライズ処理に時間がかかってしまったり、ホストＰＣによって光ディスクが誤認識されたり（例えば、情報の欠落や当該セッションより前のセッションの情報が書き込まれているなど）、あるいは、光ディスクが全く認識されないなどの問題を生じていた。
【００１３】
したがって、本発明の目的は、マルチセッションの光ディスクにおいて、データトラックを含むいずれかのセッションに規格外のイリーガルなＴＯＣ情報が記録されていた場合、少なくともオーディオトラック（オーディオ情報）の再生ができる光ディスク装置及び光ディスクのイニシャライズ方法を提供することにある。
【００１４】
【課題を解決するための手段】
このような目的は、下記（１）〜（９）の本発明により達成される。
【００１５】
（１）　光ディスクを再生又は記録・再生する光ディスク装置であって、
オーディオ又はデータを複数のセッションに記録しているマルチセッションの光ディスクにおいて、各セッションのリードインに記録されているＴＯＣ情報を順次取得するＴＯＣ情報取得手段と、
前記ＴＯＣ情報取得手段によって順次取得されたＴＯＣ情報がイリーガルなＴＯＣ情報を含むか否かを判別するイリーガルＴＯＣ情報判別手段と、
前記判別手段によってイリーガルなＴＯＣ情報を含むと判別された場合、イリーガルなＴＯＣ情報を含むセッションより前のセッションまでのＴＯＣ情報に基づいて、イリーガルなＴＯＣ情報を含むセッションより前のすべてのセッションに記録されたトラックの総数を取得する総トラック数取得手段と、
前記トラックがデータトラックであるか否かを順次判別するデータトラック判別手段と、
前記データトラック判別手段によって前記トラックにデータトラックが含まれると判別された場合、該データトラックを含むセッション以降のすべてのセッションを無効とするセッション無効手段と、
を備えることを特徴とする光ディスク装置。
【００１６】
（２）　光ディスクを再生又は記録・再生する光ディスク装置であって、
オーディオ又はデータを複数のセッションに記録しているマルチセッションの光ディスクにおいて、各セッションのリードインに記録されているＴＯＣ情報を順次取得するＴＯＣ情報取得手段と、
前記順次取得されたＴＯＣ情報がイリーガルなＴＯＣ情報を含むか否かを判別するイリーガルＴＯＣ情報判別手段と、
前記判別手段によってイリーガルなＴＯＣ情報を含むと判別された場合、イリーガルなＴＯＣ情報を含むセッションより前のセッションまでの各セッションの１番目のトラックがデータトラックであるか否かを判別するデータトラック判別手段と、
前記データトラック判別手段によって前記トラックにデータトラックが含まれると判別された場合、該当するセッション以降のすべてのセッションを無効とするセッション無効手段と、
を備えることを特徴とする光ディスク装置。
【００１７】
（３）　前記ＴＯＣ情報取得手段により取得された各セッションのＴＯＣ情報は、メモリに格納される上記（１）又は（２）に記載の光ディスク装置。
【００１８】
（４）　前記総トラック数取得手段により取得された総トラック数は、メモリに格納される上記（１）に記載の光ディスク装置。
【００１９】
（５）　前記判別手段によってイリーガルなＴＯＣ情報を含むと判別された場合、イリーガルなＴＯＣ情報を含むセッション以降のセッションのＴＯＣ情報の取得を止めるＴＯＣ情報取得停止手段をさらに備える上記（１）乃至（４）のいずれかに記載の光ディスク装置。
【００２０】
（６）　光ディスクを再生又は記録・再生する光ディスク装置であって、オーディオトラックとデータトラックを含むマルチセッションの各セッションのリードインに記録されているＴＯＣ情報を取得し、順次取得したＴＯＣ情報がイリーガルなＴＯＣ情報を含むか否かを判別し、イリーガルなＴＯＣ情報を含むと判別された場合、イリーガルなＴＯＣ情報を含むセッション以降のセッションのＴＯＣ情報の取得を止めて、それまでにＴＯＣ情報を取得したセッションに記録されたトラックの総数を取得し、前記トラックがデータトラックであるか否かを順次判別し、データトラックを見付けるとそのデータトラックを含むセッション以降のすべてのセッションを無効にすることによって、少なくともオーディオトラックの再生を可能とすることを特徴とする光ディスク装置。
【００２１】
（７）　光ディスクを再生又は記録・再生する光ディスク装置において実行される光ディスクのイニシャライズ方法であって、
オーディオ又はデータを複数のセッションに記録しているマルチセッションの光ディスクが挿入されると、各セッションのリードイン領域をサーチし、そのリードイン領域に記録されているＴＯＣ情報を順次取得するステップと、
順次取得されたＴＯＣ情報がイリーガルなＴＯＣ情報を含むか否かを判別するステップと、
イリーガルなＴＯＣ情報を含むと判別された場合、イリーガルなＴＯＣ情報を含むセッションより前のセッションまでのＴＯＣ情報に基づいて、イリーガルなＴＯＣ情報を含むセッションより前のすべてのセッションに記録されたトラックの総数を取得するステップと、
前記トラックがデータトラックであるか否かを順次判別するステップと、
前記トラックにデータトラックが含まれると判別された場合、該データトラックを含むセッション以降のすべてのセッションを無効とするステップと、
を有することを特徴とする光ディスクのイニシャライズ方法。
【００２２】
（８）　光ディスクを再生又は記録・再生する光ディスク装置において実行される光ディスクのイニシャライズ方法であって、
オーディオ又はデータを複数のセッションに記録しているマルチセッションの光ディスクが挿入されると、各セッションのリードイン領域をサーチし、そのリードイン領域に記録されているＴＯＣ情報を順次取得するステップと、
順次取得されたＴＯＣ情報がイリーガルなＴＯＣ情報を含むか否かを判別するステップと、
イリーガルなＴＯＣ情報を含むと判別された場合、イリーガルなＴＯＣ情報を含むセッションより前のセッションまでの各セッションの１番目のトラックがデータトラックであるか否かを判別するステップと、
前記トラックにデータトラックが含まれると判別された場合、該当するセッション以降のすべてのセッションを無効とするステップと、
を有することを特徴とする光ディスクのイニシャライズ方法。
【００２３】
（９）　イリーガルなＴＯＣ情報を含むと判別された場合、イリーガルなＴＯＣ情報を含むセッション以降のセッションのＴＯＣ情報の取得を中止するステップをさらに有する上記（７）又は（８）に記載の光ディスクのイニシャライズ方法。
【００２４】
【発明の実施の形態】
以下、図１〜図６を参照して本発明に係る光ディスク装置及び光ディスクのイニシャライズ方法の好適な実施形態を詳細に説明する。なお、この実施形態は例示として挙げるものであり、これにより本発明の内容を限定的に解釈すべきではない。ここで、「光ディスクのイニシャライズ」とは、本発明において、光ディスク装置にマルチセッションの光ディスクを挿入した際に、その光ディスクのすべてのセッションのＴＯＣ情報を最初に読み出す処理をいい、通常の「初期化」とは異なる。
【００２５】
まず、本発明の光ディスク装置１の構成を説明する。図１は、本発明の光ディスク装置の主要部（回路構成図）を示す概略的なブロック図である。この図１において、本発明の光ディスク装置１は、ＣＤ−ＲＯＭ、ＣＤ−Ｒ、ＣＤ−ＲＷなどの光ディスク２を再生し、あるいは記録・再生するドライブ装置である。また、図２は、光ピックアップ３及びそれに関連する構成要素の一部を概略的に示す図である。以下、図１及び図２に基づいて説明する。なお、図示していないが、本発明の光ディスク装置１は、外部から交流又は直流電源を供給されることにより動作する。
【００２６】
光ディスク装置１は、この光ディスク２を装着するターンテーブル（図示せず）と、このターンテーブル（光ディスク２）を所定の一定線速度で回転するスピンドルモータ１１とを備えている。なお、光ディスク装置１は、ＣＤ−ＲＯＭ、ＣＤ−Ｒ、ＣＤ−ＲＷなどのメディアを載せる（設置する）トレイ（図示せず）も備える。
【００２７】
また、光ディスク装置１は、装着された光ディスク２に対して、光ディスク２の径方向（ターンテーブルの径方向）に移動可能な光ピックアップ（光学ヘッド）３と、この光ピックアップ３を含む後述する光ピックアップベース（光学ヘッド本体）を光ディスク２の径方向に移動させるスレッドモータ７を備えた図示しない光ピックアップベース移動機構と、光ピックアップ３の検出信号から所定の信号を作成するＲＦアンプ４０と、この所定の信号に基づいて光ディスク装置１のスピンドルモータ１１などの各駆動部を駆動制御するサーボプロセッサ５１と、ＲＦアンプ４０によって再生された検出信号からサンプリングデータ（ＲＦ信号）やサブコードデータ（デジタルデータ）などを復調する信号処理部３０と、この信号処理部３０によって復調されたサンプリングデータ（ＥＦＭ信号）などを一時的に保存するバッファメモリ３１と、制御手段（ＣＰＵ）９と、この光ディスク装置１に最適化されたファームウェアなどを格納しているフラッシュＲＯＭ３２と、信号処理部３０において復調され、バッファメモリ３１に一時保存されているサンプリングデータなどを外部装置に出力するインターフェース部１０と、後述するアクチュエータ４を駆動するアクチュエータドライバ２１と、スレッドモータ７を駆動するスレッドドライバ２２と、スピンドルモータ１１を駆動するスピンドルドライバ２３と、これらを収納する図示しないケーシングとを備える。以下、各部の構成について詳細に説明する。
【００２８】
制御手段９は、通常、マイクロコンピュータ（ＣＰＵ）で構成され、光ピックアップ３（アクチュエータ４、レーザダイオード５など）、スレッドモータ７、スピンドルモータ１１、ＲＦアンプ４０、信号処理部３０、サーボプロセッサ５１、インターフェース部１０、バッファメモリ３１、フラッシュＲＯＭ３２など、光ディスク装置１全体の制御を行う。なお、特許請求の範囲におけるＴＯＣ情報取得手段、イリーガルＴＯＣ情報判別手段、総トラック数取得手段、セッション無効手段、及びＴＯＣ情報取得停止手段は、この制御手段９により実行される。
【００２９】
図２において、光ピックアップ３は、レーザダイオード（投光部）５及び分割フォトダイオード（受光部）６を備えた光ピックアップベースと、この光ピックアップベースに設けられた図示しない対物レンズ（集光レンズ）とを備える。
【００３０】
レーザダイオード５は、図２には示されない制御手段９によって制御されるレーザダイオードドライバ４３によって駆動され、所定波長のレーザビームを光ディスク２に照射するものである。また、分割フォトダイオード６は、レーザダイオード５から照射された光（レーザビーム）の光ディスク２からの反射光を受光する１以上の受光部を有する。この分割フォトダイオード６では、これらの受光部で受光された反射光の光量に対応する電圧レベルの電気信号（反射光検出信号）が生成され、ＲＦアンプ４０に出力される。
【００３１】
対物レンズは、光ピックアップベースに設けられたサスペンションワイヤーで支持され、光ピックアップベースに対し、光ディスク２の径方向及びスピンドルモータ１１の回転軸方向（すなわち、ターンテーブルの回転軸方向、光軸方向ともいう）のそれぞれに移動可能に構成されている。
【００３２】
また、対物レンズは、光ピックアップベースに予め設定されている対物レンズの基準位置（中点）、すなわち中立位置に配置されており、対物レンズがこの基準位置からずれると、上述のサスペンションワイヤーの復元力により基準位置に向かって付勢される。
【００３３】
また、光ピックアップ３は、光ピックアップベースに対して対物レンズを変位（移動）させるアクチュエータ４、すなわち、光ディスク２の径方向に対物レンズを移動させるトラッキングアクチュエータ４１と、光ピックアップベースに対し、光ディスク２の回転軸方向に対物レンズを移動させるフォーカスアクチュエータ４２とを備えている。このアクチュエータ４、すなわち、トラッキングアクチュエータ４１及びフォーカスアクチュエータ４２は、フォーカスコイル、トラッキングコイルからなり、アクチュエータドライバ２１によってフォーカス・トラッキングコイルに電流を流し、コイル付近に設けられたマグネットの磁界との作用により駆動される。
【００３４】
対物レンズが光ディスク２のトラックに追従するとき、光ピックアップ３を移動させずに追従可能な範囲では、サーボプロセッサ５１の制御によりアクチュエータドライバ２１を介してトラッキングアクチュエータ４１の駆動のみで追従する。光ピックアップ３を移動させなければ追従できない場合には、サーボプロセッサ５１は、スレッドドライバ２２を介してスレッドモータ７を駆動して光ピックアップベースを対物レンズが移動した方向と同方向に移動し、対物レンズが基準位置に戻るように制御する（これをスレッド制御という）。後述するシークコマンドに対する光ピックアップ３の移動制御において、ラフサーチを行う場合にはこのスレッド制御が行われる。
【００３５】
ＲＦアンプ４０は、光ピックアップ３の分割フォトダイオード６から反射光検出信号を供給されると、その反射光検出信号に基づいて、ＨＦ（ＲＦ）信号、トラッキングエラー（ＴＥ）信号及びフォーカスエラー（ＦＥ）信号などを生成する。ここで、ＲＦ信号は、光ディスク２に書き込まれているピットとランドに対応するアナログ信号であり、トラッキングエラー信号は、トラックの中心からの径方向における対物レンズのずれの大きさ及びその方向（トラックの中心からの対物レンズの径方向のずれ量）を示す信号である。また、フォーカスエラー信号は、合焦位置からの光軸方向（回転軸方向）における対物レンズのずれの大きさ及びその方向（合焦位置からの対物レンズの光軸方向（回転軸方向）のずれ量）を示す信号である。
【００３６】
また、ＲＦアンプ４０は、生成したＲＦ信号をデータスライスした二値化信号を生成し、それを再生データ信号として信号処理部３０に供給する。また、ＲＦアンプ４０は、生成したトラッキングエラー信号及びフォーカスエラー信号をサーボプロセッサ５１に供給する。
【００３７】
サーボプロセッサ５１は、ＲＦアンプ４０から供給されたトラッキングエラー信号とフォーカスエラー信号に基づいて、アクチュエータドライバ２１及び／又はスレッドドライバ２２を介してアクチュエータ４及び／又はスレッドモータ７を駆動制御して光ピックアップ３を光ディスク２の径方向及び光軸方向に適宜移動させる。
【００３８】
また、サーボプロセッサ５１は、光ディスク２から再生されるＷＯＢＢＬＥ信号、あるいは後述するホール素子の出力信号に基づいて、スピンドルドライバ２３を介してスピンドルモータ１１を駆動制御して光ディスク２を所定の回転速度で回転駆動させる。
【００３９】
信号処理部３０は、制御手段９の指示により、ＲＦアンプ４０から供給される再生信号を復調（デコード）し、所定の信号処理を実行する。そして、信号処理部３０は、この復調などによって得られたサンプリングデータ（ＥＦＭ信号）などをバッファメモリ３１に順次供給し、このバッファメモリ３１を介してインターフェース部１０に供給する。バッファメモリ３１は、所定容量のＲＡＭ（Ｒａｎｄｏｍ　Ａｃｃｅｓｓ　Ｍｅｍｏｒｙ）などにより構成され、信号処理部３０において復調されたサンプリングデータ（ＥＦＭ信号）や光ディスク２のリードイン領域から読み出したＴＯＣ情報などを一時的に格納するためのものである。
【００４０】
インターフェース部１０は、制御手段９の指示により、バッファメモリ３１から供給されたサンプリングデータ（すなわち、光ディスク２に記録されているデータ）などを外部装置（例えば、パーソナルコンピュータ（ＰＣ）などのホストコンピュータ）に伝送するとともに、外部装置から光ディスク装置１で実行するコマンドを受け取ることができるものである。このインターフェース部１０は、ＡＴＡＰＩ、ＳＣＳＩなどの既存のインターフェース規格に対応するものである。
【００４１】
フラッシュＲＯＭ３２は、ファームウェアなどを格納するためのＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ）の一種であり、通常、光ディスク装置１の基本的な制御を行うためのファームウェアなどが予め格納されている。
【００４２】
図３は、本発明の光ディスク装置が適用されるイリーガルなＴＯＣ情報を含む光ディスクの一例の概念図である。この光ディスク２は、３つのセッションから構成され、第１セッションは３つのオーディオトラック、第２セッションは２つのデータトラック、第３セッションは２つのデータトラックからなる。図３に示されるように、第３セッションのリードイン領域に記録されるＴＯＣ情報にイリーガルなＴＯＣ情報（規格外のＴＯＣ情報）が含まれる光ディスク２に、本発明の光ディスク装置１又は光ディスクのイニシャライズ方法が適用され得る。
【００４３】
次に、図４〜図６のフローチャートを参照して、本発明の光ディスク装置の一実施形態における動作を説明する。図４は、本発明の光ディスク装置の一実施形態における光ディスクのイニシャライズ処理のフローチャートである。以下、上述の図１及び図２の各部の名称及び符号、あるいは図３を用いて、このフローチャートを説明する。
【００４４】
本発明の光ディスク装置１は、電源が投入されたとき、及び光ディスク搭載（ＯＰＥＮ位置）から光ディスク収納位置（ＣＬＯＳＥ位置）へトレイが移動したとき、この光ディスクのイニシャライズ処理を実行している。ステップＳ１０１において、制御手段９は、光ディスク２があるか否か、すなわち、トレイに光ディスク２が搭載されて挿入されているか否かを判断する。光ディスクがない場合には、この光ディスクのイニシャライズ処理を終了する。
【００４５】
光ディスク２がある場合、制御手段９は、バッファメモリ３１に格納されるセッション番号フラグを「１」として（ステップＳ１０２）、第１セッションのリードイン領域をサーチし（ステップＳ１０３）、そのリードイン領域内のＴＯＣ情報を取得する（ステップＳ１０４）。
【００４６】
ステップＳ１０５において、制御手段９は、フラッシュＲＯＭ３２に格納されているファームウェアなどに基づいて、このようにして取得したＴＯＣ情報にイリーガルなＴＯＣ情報が含まれるか否かを判断する。イリーガルなＴＯＣ情報が含まれる場合には、制御手段９は、後述する処理に移行する（図５又は図６参照）。
【００４７】
取得したＴＯＣ情報にイリーガルなＴＯＣ情報が含まれていない場合、このＴＯＣ情報に基づいて、制御手段９は、次のセッションが存在するか否かを判断する（ステップＳ１０６）。次のセッションがない場合には、制御手段９は、この光ディスクのイニシャライズ処理を終了する。
【００４８】
次のセッションがある場合、例えば、本発明が適用される光ディスク２が図３に示されるようなトラック構造をしている場合、第１セッションのリードイン領域に記録されるＴＯＣ情報には第２セッションのリードイン領域の始まる位置の位置情報（時間情報）が記録されている。この場合には、制御手段９は、バッファメモリ３１のセッション番号フラグを１つインクリメントして「２」とし、ステップＳ１０３以降の処理を繰り返す。
【００４９】
図３の光ディスク２では、第２セッションにもイリーガルなＴＯＣ情報は含まれていないので、制御手段９は、再び次のセッションが存在するか否かを判断する（ステップＳ１０６）。図３の例では、次のセッションが存在するので、制御手段９は、バッファメモリ３１のセッション番号フラグを１つインクリメントして「３」とし、ステップＳ１０３以降の処理を繰り返す。
【００５０】
今度の処理では、図３の光ディスク２では、第３セッションのリードイン領域に記録されるＴＯＣ情報にイリーガルなＴＯＣ情報が含まれるので、ステップＳ１０５において次の処理（図５）に移行する。ここで、図５は、図４に示されるフローチャートの一実施形態における続きの処理を示すフローチャートである。
【００５１】
ステップＳ１０５においてイリーガルなＴＯＣ情報を含むセッションが特定されると（図３の光ディスク２では、第３セッション）、制御手段９は、それまでのセッション数−１（図３では、３−１＝２セッション）までの総トラック数を取得し、その総トラック数を「＠Ｔｒａｃｋ」としてバッファメモリ３１に格納するとともに、トラックに通し番号を付す。図３の光ディスク２では、第１セッションが３トラック、第２セッションが２トラックであるので、＠Ｔｒａｃｋ＝５となる。
【００５２】
次いで、制御手段９は、トラック番号（Ｔｒａｃｋ　Ｎｕｍｂｅｒ）フラグを「１」とし（ステップＳ１０９）、以下の処理を実行する。すなわち、制御手段９は、トラック１がデータトラックであるか否かを判断し（ステップＳ１１０）、データトラックでない場合、現在のトラック番号が＠Ｔｒａｃｋに等しいか否かを判断する（ステップＳ１１１）。現在のトラック番号がまだ＠Ｔｒａｃｋに等しくなっていない（＠Ｔｒａｃｋ未満の）場合には、トラック番号を１つインクリメントして（ステップＳ１１２）、同様の処理を繰り返す。このようにして、制御手段９は、トラック番号１から順にデータトラックであるか否かを判断し、最初のデータトラックを見付けると（ステップＳ１１０）、そのデータトラックが存在するセッション番号を検索し、「＠ＳｅｓｓｉｏｎＮｕｍｂｅｒ」とする（ステップＳ１１４）。図３の光ディスク２では、トラック４まで確認して初めてデータトラックを検出したので、＠ＳｅｓｓｉｏｎＮｕｍｂｅｒは２（第２セッション）となる。
【００５３】
そして、＠ＳｅｓｓｉｏｎＮｕｍｂｅｒ未満のすべてのセッションにおけるトラック情報（図３では、トラック１〜３の情報）をバッファメモリ３１に保持して（ステップＳ１１５）、この光ディスクのイニシャライズ処理を終了する。このように保持された情報は、オーディオ情報（オーディオトラック）のみである。
【００５４】
一方、ステップＳ１１０において、すべてのトラックについてデータトラックであるか否か判断し、すべてのトラックがデータトラックではない（オーディオトラックである）とされた場合、トラック番号は＠Ｔｒａｃｋと等しくなり（ステップＳ１１１）、このセッション数−１のセッションまでのすべてのトラック情報をバッファメモリ３１に保持して（ステップＳ１１３）、この光ディスクのイニシャライズ処理を終了する。上述の場合と同様に、このように保持された情報は、オーディオ情報（オーディオトラック）のみである。
【００５５】
以上のように、本発明の一実施形態における光ディスク装置１及び光ディスクのイニシャライズ方法では、マルチセッションの光ディスクにおいて、データが記録されたいずれかのセッションにイリーガルなＴＯＣ情報が含まれていたとしても、イリーガルなＴＯＣ情報を含むセッションまでのセッションのすべてのデータトラックの情報を削除（消去）することとした。
【００５６】
従って、本発明によって、このようなイリーガルなＴＯＣ情報を含む光ディスクであっても、少なくともオーディオディスクとしてホストＰＣ（パーソナルコンピュータ）に認識され得るので、ホストＰＣの既存のＣＤプレイヤーアプリケーションなどでオーディオデータとして再生させることができる。
【００５７】
また、本発明のように、イリーガルなＴＯＣ情報に対してすべてのデータトラックを無視するように対処することにより、光ディスクのイニシャライズ処理の処理時間が必要以上かからなくなるとともに、ホストＰＣが光ディスクを誤認識することもなくなる。
【００５８】
次に、本発明の光ディスク装置の別の実施形態における動作を説明する。図６は、図４に示されるフローチャートの別の実施形態における続きの処理を示すフローチャートである。この図６のフローチャートは、図５のフローチャートの代わりのフローチャートであるので、図４のステップＳ１０５において、制御手段９がイリーガルなＴＯＣ情報を含むセッションを見付けてステップＳ１２１に移行した時点から説明する。
【００５９】
ステップＳ１０５においてイリーガルなＴＯＣ情報を含むセッションが特定されると（図３の光ディスク２では、第３セッション）、制御手段９は、そのイリーガルなＴＯＣ情報を含むセッションを「＠Ｓｅｓｓｉｏｎ」としてバッファメモリ３１に記録する（ステップＳ１２１）。
【００６０】
次いで、制御手段９は、セッション番号（Ｓｅｓｓｉｏｎ　Ｎｕｍｂｅｒ）フラグを「１」とし（ステップＳ１２２）、以下の処理を実行する。すなわち、制御手段９は、セッション番号１、すなわち、第１セッションの最初のトラックがデータトラックであるか否かを判断し（ステップＳ１２３）、データトラックでない場合、現在のセッション番号が＠Ｓｅｓｓｉｏｎに等しいか否かを判断する（ステップＳ１２４）。
【００６１】
現在のセッション番号がまだ＠Ｓｅｓｓｉｏｎに等しくなっていない（＠Ｓｅｓｓｉｏｎ未満の）場合には、セッション番号を１つインクリメントして（ステップＳ１２５）、制御手段９は、第２セッションの最初のトラックがデータトラックであるか否かを判断する（ステップＳ１２３）。
【００６２】
一方、セッション数が＠Ｓｅｓｓｉｏｎと等しくなっている場合には、イリーガルなＴＯＣ情報が含まれるセッションよりも前のセッションにはデータトラックが存在しないので、＠Ｓｅｓｓｉｏｎ−１までのすべてのセッションのトラック情報を保持して（ステップＳ１２６）、この光ディスクのイニシャライズ処理を終了する。このように保持された情報は、オーディオ情報（オーディオトラック）のみである。
【００６３】
いずれかのセッションのトラック１がデータトラックである場合には、このセッションのセッション番号を「＠ＳｅｓｓｉｏｎＮｕｍｂｅｒ」とし（ステップＳ１２７）、＠ＳｅｓｓｉｏｎＮｕｍｂｅｒ未満のすべてのセッションにおけるトラック情報（図３では、トラック１〜３の情報）をバッファメモリ３１に保持して（ステップＳ１２８）、この光ディスクのイニシャライズ処理を終了する。上述の場合と同様に、このように保持された情報は、オーディオ情報（オーディオトラック）のみである。
【００６４】
以上のように、本発明のもう一つの実施形態における光ディスク装置１及び光ディスクのイニシャライズ方法では、上記実施形態と比較して、イリーガルなＴＯＣ情報を含むセッションの前の各セッションの第１トラックがデータトラックであるか否かだけを判断することとした。
【００６５】
そのため、本発明のこの実施形態における光ディスク装置及び光ディスクのイニシャライズ方法によって、上記実施形態よりも高速に本発明の処理を完了することができる。
【００６６】
なお、いずれの実施形態においても、イリーガルなＴＯＣ情報を検出し、あるいは、イリーガルなＴＯＣ情報を検出してから総トラック数を取得した後は、既にイリーガルなＴＯＣ情報を含むセッション番号、あるいはそれに加えて総トラック数が分かっているので、データトラックであるか否かの判断は、上記実施形態のようにそれらの番号順（昇順）に実行する場合に限らず、降順に実行されてもよい。
【００６７】
以上、本発明の光ディスク装置を図示の各実施形態に基づいて説明したが、本発明は、これに限定されるものではなく、光ディスク装置を構成する各部は、同様の機能を発揮し得る任意の構成のものと置換することができる。また、任意の構成物が付加されていてもよい。
【００６８】
【発明の効果】
以上説明したように、本発明によれば、イリーガルなＴＯＣ情報を含むマルチセッションの光ディスクであっても、少なくともオーディオディスクとして再生させることができる。
【００６９】
また、本発明のように、イリーガルなＴＯＣ情報に対してすべてのデータトラックを無視するように対処することにより、光ディスクのイニシャライズ処理の処理時間が必要以上かからなくなるとともに、ホストＰＣが光ディスクを誤認識することもなくなる。
【図面の簡単な説明】
【図１】本発明の光ディスク装置の主要部（回路構成図）を示す概略的なブロック図である。
【図２】光ピックアップ及びそれに関連する構成要素の一部を概略的に示す図である。
【図３】本発明の光ディスク装置が適用されるイリーガルなＴＯＣ情報を含む光ディスクの一例の概念図である。
【図４】本発明の光ディスク装置の一実施形態における光ディスクのイニシャライズ処理のフローチャートである。
【図５】図４に示されるフローチャートの一実施形態における続きの処理を示すフローチャートである。
【図６】図４に示されるフローチャートの別の実施形態における続きの処理を示すフローチャートである。
【図７】従来の光ディスク装置における光ディスクのイニシャライズ方法を示すフローチャートである。
【符号の説明】
１　　　光ディスク装置（ドライブ）
２　　　光ディスク
３　　　光ピックアップ（光学ヘッド）
４　　　アクチュエータ
４１　　　トラッキングアクチュエータ
４２　　　フォーカスアクチュエータ
４３　　　レーザダイオードドライバ
５　　　レーザダイオード
６　　　分割フォトダイオード
７　　　スレッドモータ
９　　　制御手段
１０　　　インターフェース部
１１　　　スピンドルモータ
２１　　　アクチュエータドライバ
２２　　　スレッドドライバ
２３　　　スピンドルドライバ
３０　　　信号処理部
３１　　　バッファメモリ
３２　　　フラッシュＲＯＭ
４０　　　ＲＦアンプ
５１　　　サーボプロセッサ
Ｓ１０１〜Ｓ１２８、Ｓ２０１〜Ｓ２０７　　　ステップ
【図１】
2004127387.tif 000003
【図２】
2004127387.tif 000004
【図３】
2004127387.tif 000005
【図４】
2004127387.tif 000006
【図５】
2004127387.tif 000007
【図６】
2004127387.tif 000008
【図７】
2004127387.tif 000009